(57)【要約】  画像表示装置は、通信機と、タッチパネルと、メモリと、コントローラとを有する。有効領域と無効領域とが前記タッチパネルの表面に設定される。画像は前記有効領域に表示される。制御コマンドの入力操作は前記有効領域で受け付けられる。前記無効領域は前記有効領域と異なる。前記無効領域における前記画像の表示と前記入力操作の受け付けとは禁止される。前記コントローラは、表示制御と送信制御とを行う。前記表示制御は、前記有効領域と前記無効領域とを前記タッチパネルの前記表面に設定し、かつ前記画像を前記有効領域に表示する処理である。前記送信制御は、前記制御コマンドを前記通信機によって撮像装置に送信する処理である。
2017085787.tif 000002
【特許請求の範囲】
【請求項１】
第１の画像データを撮像装置から受信し、かつ制御コマンドを前記撮像装置に送信する通信機と、
前記第１の画像データに基づいて画像を表示し、かつ前記制御コマンドの入力操作を受け付けるタッチパネルであって、有効領域と無効領域とが前記タッチパネルの表面に設定され、前記画像は前記有効領域に表示され、前記入力操作は前記有効領域で受け付けられ、前記無効領域は前記有効領域と異なり、前記無効領域における前記画像の表示と前記入力操作の受け付けとは禁止される前記タッチパネルと、
前記有効領域と前記無効領域との少なくとも１つの位置を示す領域情報を記憶するメモリと、
表示制御と送信制御とを行い、前記表示制御は、前記メモリに記憶された前記領域情報に基づいて前記有効領域と前記無効領域とを前記タッチパネルの前記表面に設定し、かつ前記第１の画像データに基づく前記画像を前記有効領域に表示する処理であり、前記送信制御は、前記有効領域で受け付けられた前記入力操作に対応する前記制御コマンドを前記通信機によって前記撮像装置に送信する処理であるコントローラと、
を有する画像表示装置。
【請求項２】
第２の画像データを生成する撮像素子と、
前記タッチパネルの前記表面の裏側に配置された背面と、
をさらに有し、
前記領域情報は、第１の領域情報と第２の領域情報とを含み、前記第１の領域情報は、前記タッチパネルの前記表面に前記撮像装置が配置された状態に対応する前記有効領域と前記無効領域との少なくとも１つの位置を示し、前記第２の領域情報は、前記背面に前記撮像装置が配置された状態に対応する前記有効領域と前記無効領域との少なくとも１つの位置を示し、
前記コントローラは、前記第２の画像データに基づいて、第１の状態と第２の状態と第３の状態との１つを検出し、前記第１の状態は、前記撮像装置が前記タッチパネルの前記表面に配置された状態であり、前記第２の状態は、前記撮像装置が前記背面に配置された状態であり、前記第３の状態は、前記撮像装置が前記タッチパネルの前記表面と前記背面とのどちらにも配置されていない状態であり、
前記第１の状態が検出された場合、前記コントローラは、前記第１の領域情報に基づいて前記有効領域と前記無効領域とを前記タッチパネルの前記表面に設定し、
前記第２の状態が検出された場合、前記コントローラは、前記第２の領域情報に基づいて前記有効領域と前記無効領域とを前記タッチパネルの前記表面に設定し、
前記第３の状態が検出された場合、前記コントローラは、前記第１の領域情報に基づく前記有効領域と前記無効領域との設定を禁止し、かつ前記第２の領域情報に基づく前記有効領域と前記無効領域との設定を禁止する
請求項１に記載の画像表示装置。
【請求項３】
前記メモリはさらに、前記撮像装置の第１の撮像パラメータと第２の撮像パラメータとを記憶し、前記第１の撮像パラメータは前記第１の状態に対応し、前記第２の撮像パラメータは前記第２の状態に対応し、
前記第１の状態が検出された場合、前記コントローラは、前記第１の撮像パラメータを前記撮像装置に設定する前記制御コマンドを前記通信機によって前記撮像装置に送信する前記送信制御を行い、
前記第２の状態が検出された場合、前記コントローラは、前記第２の撮像パラメータを前記撮像装置に設定する前記制御コマンドを前記通信機によって前記撮像装置に送信する前記送信制御を行う
請求項２に記載の画像表示装置。
【請求項４】
前記有効領域と前記無効領域とが前記タッチパネルの前記表面に設定されたとき、前記タッチパネルの前記表面は、前記有効領域と前記無効領域とのみを含む
請求項１に記載の画像表示装置。
【請求項５】
画像表示装置と撮像装置とを有し、
前記画像表示装置は、
第１の画像データを撮像装置から受信し、かつ制御コマンドを前記撮像装置に送信する第１の通信機と、
前記第１の画像データに基づいて画像を表示し、かつ前記制御コマンドの入力操作を受け付けるタッチパネルであって、有効領域と無効領域とが前記タッチパネルの表面に設定され、前記画像は前記有効領域に表示され、前記入力操作は前記有効領域で受け付けられ、前記無効領域は前記有効領域と異なり、前記無効領域における前記画像の表示と前記入力操作の受け付けとは禁止される前記タッチパネルと、
前記有効領域と前記無効領域との少なくとも１つの位置を示す領域情報を記憶するメモリと、
表示制御と送信制御とを行い、前記表示制御は、前記メモリに記憶された前記領域情報に基づいて前記有効領域と前記無効領域とを前記タッチパネルの前記表面に設定し、かつ前記第１の画像データに基づく前記画像を前記有効領域に表示する処理であり、前記送信制御は、前記有効領域で受け付けられた前記入力操作に対応する前記制御コマンドを前記第１の通信機によって前記撮像装置に送信する処理である第１のコントローラと、
を有し、
前記撮像装置は、
前記第１の画像データを生成する撮像素子と、
前記第１の画像データを前記画像表示装置に送信し、かつ前記制御コマンドを前記画像表示装置から受信する第２の通信機と、
前記制御コマンドに基づいて前記撮像素子を制御する第２のコントローラと、
を有する
画像表示システム。
【請求項６】
第１の画像データを撮像装置から受信する第１のステップと、
メモリに記憶された領域情報に基づいて有効領域と無効領域とをタッチパネルの表面に設定する第２のステップであって、前記タッチパネルは、前記第１の画像データに基づいて画像を表示し、かつ制御コマンドの入力操作を受け付け、前記領域情報は、前記有効領域と前記無効領域との少なくとも１つの位置を示し、前記画像は前記有効領域に表示され、前記入力操作は前記有効領域で受け付けられ、前記無効領域は前記有効領域と異なり、前記無効領域における前記画像の表示と前記入力操作の受け付けとは禁止される前記第２のステップと、
前記第１の画像データに基づく前記画像を前記有効領域に表示する第３のステップと、
前記有効領域で受け付けられた前記入力操作に対応する前記制御コマンドを前記撮像装置に送信する第４のステップと、
を有する画像表示方法。
【請求項７】
第１の画像データを撮像装置から受信する第１のステップと、
メモリに記憶された領域情報に基づいて有効領域と無効領域とをタッチパネルの表面に設定する第２のステップであって、前記タッチパネルは、前記第１の画像データに基づいて画像を表示し、かつ制御コマンドの入力操作を受け付け、前記領域情報は、前記有効領域と前記無効領域との少なくとも１つの位置を示し、前記画像は前記有効領域に表示され、前記入力操作は前記有効領域で受け付けられ、前記無効領域は前記有効領域と異なり、前記無効領域における前記画像の表示と前記入力操作の受け付けとは禁止される前記第２のステップと、
前記第１の画像データに基づく前記画像を前記有効領域に表示する第３のステップと、
前記有効領域で受け付けられた前記入力操作に対応する前記制御コマンドを前記撮像装置に送信する第４のステップと、
をコンピュータに実行させるためのプログラム。
【発明の詳細な説明】
【技術分野】
【０００１】
本発明は、画像表示装置、画像表示システム、画像表示方法、およびプログラムに関する。
【背景技術】
【０００２】
デジタル撮像装置等の撮像装置を使用する撮影において、撮影者は表示装置に表示される画像を確認することにより、構図、フォーカス状態、および明るさ等を確認することができる。特許文献１では、表示装置を遮蔽する障害物の位置に応じて画像の表示位置を制御する技術が開示されている。この技術では、障害物によって遮蔽される領域以外の領域に画像が表示される。
【先行技術文献】
【特許文献】
【０００３】
【特許文献１】日本国特開２０１２−４７９７８号公報
【発明の概要】
【発明が解決しようとする課題】
【０００４】
表示装置としてタッチパネルが使用されうる。撮影者がタッチパネルを使用して撮影のための入力操作を行うことにより、撮影者が撮影を簡易に行うことができる。しかし、特許文献１に開示された技術をタッチパネルに適用した場合、障害物とタッチパネルとの接触により、撮影者が意図しない入力操作が検出される可能性がある。【０００５】
本発明は、入力操作の誤検出を低減することができる画像表示装置、画像表示システム、画像表示方法、およびプログラムを提供することを目的とする。
【課題を解決するための手段】
【０００６】
本発明の第１の態様によれば、画像表示装置は、通信機と、タッチパネルと、メモリと、コントローラとを有する。前記通信機は、第１の画像データを撮像装置から受信し、かつ制御コマンドを前記撮像装置に送信する。前記タッチパネルは、前記第１の画像データに基づいて画像を表示し、かつ前記制御コマンドの入力操作を受け付ける。有効領域と無効領域とが前記タッチパネルの表面に設定される。前記画像は前記有効領域に表示される。前記入力操作は前記有効領域で受け付けられる。前記無効領域は前記有効領域と異なる。前記無効領域における前記画像の表示と前記入力操作の受け付けとは禁止される。前記メモリは、前記有効領域と前記無効領域との少なくとも１つの位置を示す領域情報を記憶する。前記コントローラは、表示制御と送信制御とを行う。前記表示制御は、前記メモリに記憶された前記領域情報に基づいて前記有効領域と前記無効領域とを前記タッチパネルの前記表面に設定し、かつ前記第１の画像データに基づく前記画像を前記有効領域に表示する処理である。前記送信制御は、前記有効領域で受け付けられた前記入力操作に対応する前記制御コマンドを前記通信機によって前記撮像装置に送信する処理である。【０００７】
本発明の第２の態様によれば、第１の態様において、前記画像表示装置は、撮像素子と、背面とをさらに有してもよい。前記撮像素子は、第２の画像データを生成する。前記背面は、前記タッチパネルの前記表面の裏側に配置されている。前記領域情報は、第１の領域情報と第２の領域情報とを含んでもよい。前記第１の領域情報は、前記タッチパネルの前記表面に前記撮像装置が配置された状態に対応する前記有効領域と前記無効領域との少なくとも１つの位置を示す。前記第２の領域情報は、前記背面に前記撮像装置が配置された状態に対応する前記有効領域と前記無効領域との少なくとも１つの位置を示す。前記コントローラは、前記第２の画像データに基づいて、第１の状態と第２の状態と第３の状態との１つを検出してもよい。前記第１の状態は、前記撮像装置が前記タッチパネルの前記表面に配置された状態である。前記第２の状態は、前記撮像装置が前記背面に配置された状態である。前記第３の状態は、前記撮像装置が前記タッチパネルの前記表面と前記背面とのどちらにも配置されていない状態である。前記第１の状態が検出された場合、前記コントローラは、前記第１の領域情報に基づいて前記有効領域と前記無効領域とを前記タッチパネルの前記表面に設定してもよい。前記第２の状態が検出された場合、前記コントローラは、前記第２の領域情報に基づいて前記有効領域と前記無効領域とを前記タッチパネルの前記表面に設定してもよい。前記第３の状態が検出された場合、前記コントローラは、前記第１の領域情報に基づく前記有効領域と前記無効領域との設定を禁止し、かつ前記第２の領域情報に基づく前記有効領域と前記無効領域との設定を禁止してもよい。【０００８】
本発明の第３の態様によれば、第２の態様において、前記メモリはさらに、前記撮像装置の第１の撮像パラメータと第２の撮像パラメータとを記憶してもよい。前記第１の撮像パラメータは前記第１の状態に対応する。前記第２の撮像パラメータは前記第２の状態に対応する。前記第１の状態が検出された場合、前記コントローラは、前記第１の撮像パラメータを前記撮像装置に設定する前記制御コマンドを前記通信機によって前記撮像装置に送信する前記送信制御を行ってもよい。前記第２の状態が検出された場合、前記コントローラは、前記第２の撮像パラメータを前記撮像装置に設定する前記制御コマンドを前記通信機によって前記撮像装置に送信する前記送信制御を行ってもよい。【０００９】
本発明の第４の態様によれば、第１の態様において、前記有効領域と前記無効領域とが前記タッチパネルの前記表面に設定されたとき、前記タッチパネルの前記表面は、前記有効領域と前記無効領域とのみを含んでもよい。【００１０】
本発明の第５の態様によれば、画像表示システムは、画像表示装置と撮像装置とを有する。第１の通信機と、タッチパネルと、メモリと、第１のコントローラとを有する。前記第１の通信機は、第１の画像データを撮像装置から受信し、かつ制御コマンドを前記撮像装置に送信する。前記タッチパネルは、前記第１の画像データに基づいて画像を表示し、かつ前記制御コマンドの入力操作を受け付ける。有効領域と無効領域とが前記タッチパネルの表面に設定される。前記画像は前記有効領域に表示される。前記入力操作は前記有効領域で受け付けられる。前記無効領域は前記有効領域と異なる。前記無効領域における前記画像の表示と前記入力操作の受け付けとは禁止される。前記メモリは、前記有効領域と前記無効領域との少なくとも１つの位置を示す領域情報を記憶する。前記第１のコントローラは、表示制御と送信制御とを行う。前記表示制御は、前記メモリに記憶された前記領域情報に基づいて前記有効領域と前記無効領域とを前記タッチパネルの前記表面に設定し、かつ前記第１の画像データに基づく前記画像を前記有効領域に表示する処理である。前記送信制御は、前記有効領域で受け付けられた前記入力操作に対応する前記制御コマンドを前記第１の通信機によって前記撮像装置に送信する処理である。前記撮像装置は、撮像素子と、第２の通信機と、第２のコントローラとを有する。前記撮像素子は、前記第１の画像データを生成する。前記第２の通信機は、前記第１の画像データを前記画像表示装置に送信し、かつ前記制御コマンドを前記画像表示装置から受信する。前記第２のコントローラは、前記制御コマンドに基づいて前記撮像素子を制御する。【００１１】
本発明の第６の態様によれば、画像表示方法は、第１のステップと、第２のステップと、第３のステップと、第４のステップとを有する。前記第１のステップは、第１の画像データを撮像装置から受信する。前記第２のステップは、メモリに記憶された領域情報に基づいて有効領域と無効領域とをタッチパネルの表面に設定する。前記タッチパネルは、前記第１の画像データに基づいて画像を表示し、かつ制御コマンドの入力操作を受け付ける。前記領域情報は、前記有効領域と前記無効領域との少なくとも１つの位置を示す。前記画像は前記有効領域に表示される。前記入力操作は前記有効領域で受け付けられる。前記無効領域は前記有効領域と異なる。前記無効領域における前記画像の表示と前記入力操作の受け付けとは禁止される。前記第３のステップは、前記第１の画像データに基づく前記画像を前記有効領域に表示する。前記第４のステップは、前記有効領域で受け付けられた前記入力操作に対応する前記制御コマンドを前記撮像装置に送信する。【００１２】
本発明の第７の態様によれば、プログラムは、第１のステップと、第２のステップと、第３のステップと、第４のステップとをコンピュータに実行させてもよい。前記第１のステップは、第１の画像データを撮像装置から受信する。前記第２のステップは、メモリに記憶された領域情報に基づいて有効領域と無効領域とをタッチパネルの表面に設定する。前記タッチパネルは、前記第１の画像データに基づいて画像を表示し、かつ制御コマンドの入力操作を受け付ける。前記領域情報は、前記有効領域と前記無効領域との少なくとも１つの位置を示す。前記画像は前記有効領域に表示される。前記入力操作は前記有効領域で受け付けられる。前記無効領域は前記有効領域と異なる。前記無効領域における前記画像の表示と前記入力操作の受け付けとは禁止される。前記第３のステップは、前記第１の画像データに基づく前記画像を前記有効領域に表示する。前記第４のステップは、前記有効領域で受け付けられた前記入力操作に対応する前記制御コマンドを前記撮像装置に送信する。
【発明の効果】
【００１３】
上記の各態様によれば、有効領域と無効領域とがタッチパネルの表面に設定され、かつ無効領域における画像の表示と入力操作の受け付けとは禁止される。このため、入力操作の誤検出を低減することができる。
【図面の簡単な説明】
【００１４】
【図１】本発明の第１の実施形態の画像表示システムの構成図である。
【図２】本発明の第１の実施形態の画像表示装置のブロック図である。
【図３】本発明の第１の実施形態の撮像装置のブロック図である。
【図４】本発明の第１の実施形態の固定部材の斜視図である。
【図５】本発明の第１の実施形態の固定部材の斜視図である。
【図６】本発明の第１の実施形態の固定部材の斜視図である。
【図７】本発明の第１の実施形態の画像表示装置の平面図である。
【図８】本発明の第１の実施形態の画像表示装置の平面図である。
【図９】本発明の第１の実施形態の画像表示装置の動作手順を示すフローチャートである。
【図１０】本発明の第１の実施形態の撮像装置の動作手順を示すフローチャートである。
【図１１】本発明の第２の実施形態の画像表示システムの構成図である。
【図１２】本発明の第２の実施形態の画像表示装置のブロック図である。
【図１３】本発明の第２の実施形態の画像表示装置の平面図である。
【図１４】本発明の第２の実施形態の画像表示装置の平面図である。
【図１５】本発明の第２の実施形態の画像表示装置の平面図である。
【図１６】本発明の第２の実施形態の画像表示装置の動作手順を示すフローチャートである。
【図１７】本発明の第３の実施形態の画像表示装置のブロック図である。
【図１８】本発明の第３の実施形態の撮像パラメータを示す参考図である。
【図１９】本発明の第３の実施形態の画像表示装置の動作手順を示すフローチャートである。
【発明を実施するための形態】
【００１５】
図面を参照し、本発明の実施形態を説明する。
【００１６】
（第１の実施形態）
図１は、本発明の第１の実施形態の画像表示システム１の構成を示している。図１に示すように、画像表示システム１は、画像表示装置１０と、撮像装置２０とを有する。
【００１７】
画像表示装置１０は、画像表示機能と通信機能とを有する機器である。例えば、画像表示装置１０は、スマートフォンである。撮像装置２０は、撮像機能と通信機能とを有するカメラである。画像表示装置１０と撮像装置２０とは、アクセサリである固定部材３０によって固定される。レンズ４０が撮像装置２０に装着される。撮像装置２０とレンズ４０とは、分離できる。撮像装置２０がレンズを有してもよい。
【００１８】
撮像装置２０が固定部材３０によって画像表示装置１０に対して固定されることにより、固定部材３０は画像表示装置１０と接触する。例えば、固定部材３０は、柔軟性を有する樹脂で構成される。撮像装置２０は、画像表示装置１０に接触しなくてもよい。画像表示装置１０は、図２に示すタッチパネル１０１を有する。画像表示装置１０は、表面１０４を有する。タッチパネル１０１の表面１０１Ａは、画像表示装置１０の表面１０４に配置されている。図１において固定部材３０は、タッチパネル１０１の表面１０１Ａと接触する。図１において撮像装置２０と固定部材３０とは、タッチパネル１０１の表面１０１Ａの一部を覆う。撮像装置２０が画像表示装置１０と接触するように撮像装置２０が固定されてもよい。画像表示装置１０の表面にガイド部材が形成され、かつガイド部材によって定まる位置に撮像装置２０または固定部材３０が配置されてもよい。例えば、ガイド部材は、画像表示装置１０の表面に形成された突起である。固定部材３０が使用されなくてもよい。例えば、ユーザが画像表示装置１０と撮像装置２０とを手で固定してもよい。撮像装置２０が固定部材３０によって画像表示装置１０に対して固定されたとき、画像表示装置１０と、固定部材３０または撮像装置２０との間に隙間があってもよい。
【００１９】
タッチパネル１０１は、撮像装置２０によって取得された画像を表示する。図１に示すように撮像装置２０がタッチパネル１０１の表面１０１Ａに配置された場合、ユーザは、撮像方向をユーザ自身の方向に向けることにより、ユーザ自身を撮影することができる。ユーザは、タッチパネル１０１に表示される画像を確認することにより、構図、フォーカス状態、および明るさ等を確認することができる。
【００２０】
図２は、画像表示装置１０の構成を示している。図２に示すように、画像表示装置１０は、通信機１００（第１の通信機）と、タッチパネル１０１と、メモリ１０２と、コントローラ１０３（第１のコントローラ）とを有する。図２に示す各構成は、ハードウェアである。
【００２１】
通信機１００は、第１の画像データを撮像装置２０から受信し、かつ制御コマンドを撮像装置２０に送信する。タッチパネル１０１は、第１の画像データに基づいて画像を表示し、かつ制御コマンドの入力操作を受け付ける。有効領域と無効領域とがタッチパネル１０１の表面１０１Ａに設定される。画像は有効領域に表示される。入力操作は有効領域で受け付けられる。無効領域は有効領域と異なる。無効領域における画像の表示と入力操作の受け付けとは禁止される。メモリ１０２は、有効領域と無効領域との少なくとも１つの位置を示す領域情報１０２０を記憶する。コントローラ１０３は、表示制御と送信制御とを行う。表示制御は、メモリ１０２に記憶された領域情報１０２０に基づいて有効領域と無効領域とをタッチパネル１０１の表面１０１Ａに設定し、かつ第１の画像データに基づく画像を有効領域に表示する処理である。送信制御は、有効領域で受け付けられた入力操作に対応する制御コマンドを通信機１００によって撮像装置２０に送信する処理である。
【００２２】
図２に示す構成の詳細を説明する。通信機１００は、無線または有線の送受信機である。通信機１００によって受信される第１の画像データは、動画データと静止画データとの少なくとも１つである。例えば、動画データは、ライブ画像データである。例えば、ライブ画像データの画素数は、静止画データの画素数よりも少ない。通信機１００によって送信される制御コマンドは、撮像に関する制御コマンドを含む。例えば、制御コマンドは、撮像装置２０に静止画の撮影を指示するための撮影コマンドである。制御コマンドは、撮像パラメータを指定するためのコマンドであってもよい。
【００２３】
タッチパネル１０１（タッチスクリーン）は、表示装置１０１０と、センサ１０１１とを有する。例えば、表示装置１０１０は、液晶ディスプレイである。表示装置１０１０は、撮像装置２０から受信された第１の画像データに基づく画像を表示する。タッチパネル１０１の表面１０１Ａは、表示装置１０１０の表面を含む。センサ１０１１は、タッチパネル１０１に対する物体の接触を検知する。例えば、ユーザが制御コマンドの入力操作を行う場合、センサ１０１１は、タッチパネル１０１に対するユーザの体の一部の接触を検出する。制御コマンドの入力操作は、撮像装置２０に送信される制御コマンドを指定する入力操作である。センサ１０１１は、有効領域における入力操作を検出する。無効領域におけるセンサ１０１１による入力操作の検出は、コントローラ１０３によって禁止（無効化）される。タッチパネル１０１の表面１０１Ａに設定される有効領域と無効領域とは、互いに重ならない。タッチパネル１０１の表面１０１Ａは、有効領域と無効領域とのどちらも設定されない領域を有してもよい。例えば、付加情報が表示される領域は、有効領域と無効領域とのどちらでもなくてもよい。例えば、付加情報は、日時である。
【００２４】
メモリ１０２は、揮発性または不揮発性の記録媒体である。メモリ１０２に記憶される領域情報１０２０は、有効領域情報１０２０Ａと、無効領域情報１０２０Ｂとを含む。有効領域情報１０２０Ａは、タッチパネル１０１の表面１０１Ａにおける有効領域の位置を示す。無効領域情報１０２０Ｂは、タッチパネル１０１の表面１０１Ａにおける無効領域の位置を示す。領域情報１０２０は、有効領域情報１０２０Ａと全体領域情報とを含んでもよい。全体領域情報は、タッチパネル１０１の表面１０１Ａの全体の大きさを示す。例えば、全体領域情報は、タッチパネル１０１の表面１０１Ａの横と縦との画素数を示す。タッチパネル１０１の表面１０１Ａの全体から有効領域を除いた領域が無効領域であってもよい。コントローラ１０３は、有効領域情報１０２０Ａと全体領域情報とに基づいて無効領域情報１０２０Ｂを生成してもよい。領域情報１０２０は、無効領域情報１０２０Ｂと全体領域情報とを含んでもよい。タッチパネル１０１の表面１０１Ａの全体から無効領域を除いた領域が有効領域であってもよい。コントローラ１０３は、無効領域情報１０２０Ｂと全体領域情報とに基づいて有効領域情報１０２０Ａを生成してもよい。メモリ１０２は、複数の領域情報１０２０を記憶してもよい。コントローラ１０３の動作を規定するプログラムがメモリ１０２に記憶され、かつそのプログラムが領域情報１０２０を含んでもよい。
【００２５】
コントローラ１０３は、１つまたは複数のプロセッサである。プロセッサは、特定用途向け集積回路（ＡＳＩＣ）を含んでもよい。コントローラ１０３は、画像表示装置１０の各構成を制御する。コントローラ１０３は、第１の画像データを通信機１００によって撮像装置２０から受信する。具体的には、コントローラ１０３は、撮像装置２０から送信された第１の画像データを通信機１００に受信させる。これによって、通信機１００は、第１の画像データを撮像装置２０から受信する。コントローラ１０３は、表示制御において、領域情報１０２０に基づいて有効領域と無効領域とをタッチパネル１０１の表面１０１Ａに設定する。例えば、コントローラ１０３は、有効領域情報１０２０Ａに基づいて有効領域をタッチパネル１０１の表面１０１Ａに設定し、かつ無効領域情報１０２０Ｂに基づいて無効領域をタッチパネル１０１の表面１０１Ａに設定する。コントローラ１０３は、表示制御において、表示装置１０１０を制御することにより、第１の画像データに基づく画像を有効領域に表示する。コントローラ１０３は、送信制御において、センサ１０１１によって検出された入力操作に基づいて制御コマンドを生成する。コントローラ１０３は、生成された制御コマンドを通信機１００によって撮像装置２０に送信する。具体的には、コントローラ１０３は、撮像装置２０に対する制御コマンドを通信機１００に送信させる。これによって、通信機１００は、制御コマンドを撮像装置２０に送信する。
【００２６】
例えば、コントローラ１０３の機能は、コントローラ１０３の動作を規定する命令を含むプログラムを、画像表示装置１０のコンピュータが読み込んで実行することにより、ソフトウェアの機能として実現可能である。このプログラムは、例えばフラッシュメモリのような「コンピュータ読み取り可能な記録媒体」により提供されてもよい。また、上述したプログラムは、このプログラムが保存された記憶装置等を有するコンピュータから、伝送媒体を介して、あるいは伝送媒体中の伝送波により画像表示装置１０に伝送されてもよい。プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる差分ファイル（差分プログラム）であってもよい。
【００２７】
図３は、撮像装置２０の構成を示している。図３に示すように、撮像装置２０は、撮像素子２００と、通信機２０１（第２の通信機）と、コントローラ２０２（第２のコントローラ）とを有する。図３に示す各構成は、ハードウェアである。
【００２８】
撮像素子２００は、第１の画像データを生成する。通信機２０１は、第１の画像データを画像表示装置１０に送信し、かつ制御コマンドを画像表示装置１０から受信する。コントローラ２０２は、制御コマンドに基づいて撮像素子２００を制御する。
【００２９】
図３に示す構成の詳細を説明する。撮像素子２００は、撮像を行うことにより第１の画像データを生成する。撮像素子２００は、コントローラ２０２による制御に従って撮像を行う。コントローラ２０２によって撮像パラメータが設定された場合、撮像素子２００は、設定された撮像パラメータに従って撮像を行う。通信機２０１は、無線または有線の送受信機である。コントローラ２０２は、１つまたは複数のプロセッサである。コントローラ２０２は、撮像装置２０の各構成を制御する。コントローラ２０２は、第１の画像データを通信機２０１によって画像表示装置１０に送信する。具体的には、コントローラ２０２は、画像表示装置１０に対する第１の画像データを通信機２０１に送信させる。これによって、通信機２０１は、第１の画像データを画像表示装置１０に送信する。コントローラ２０２は、制御コマンドを通信機２０１によって画像表示装置１０から受信する。具体的には、コントローラ２０２は、画像表示装置１０から送信された制御コマンドを通信機２０１に受信させる。これによって、通信機２０１は、制御コマンドを画像表示装置１０から受信する。
【００３０】
例えば、コントローラ２０２の機能は、コントローラ２０２の動作を規定する命令を含むプログラムを、撮像装置２０のコンピュータが読み込んで実行することにより、ソフトウェアの機能として実現可能である。このプログラムの実現形態は、コントローラ１０３の機能を実現するプログラムの実現形態と同様である。
【００３１】
図４から図６は、固定部材３０の構成の例を示している。図４は、固定部材３０の第１の例である固定部材３０ａの外観を示している。図４に示すように、固定部材３０ａは、支持部３００ａと、固定部３０１ａとを有する。支持部３００ａは、画像表示装置１０と接触する面３０００ａを有する。面３０００ａと反対側の面に撮像装置２０が装着される。支持部３００ａは、撮像装置２０の側面および底面と密着することにより撮像装置２０を支持する。固定部３０１ａは、複数の細長い部材の組合せである。固定部３０１ａは、３か所で支持部３００ａと接続されている。固定部３０１ａと面３０００ａとの間に画像表示装置１０が配置される。固定部３０１ａと面３０００ａとが画像表示装置１０と密着することにより、画像表示装置１０が固定される。
【００３２】
図５は、固定部材３０の第２の例である固定部材３０ｂの外観を示している。図５に示すように、固定部材３０ｂは、支持部３００ｂと、固定部３０１ｂとを有する。支持部３００ｂは、画像表示装置１０と接触する面３０００ｂを有する。面３０００ｂと反対側の面に撮像装置２０が装着される。支持部３００ｂは、撮像装置２０の側面および底面と密着することにより撮像装置２０を支持する。固定部３０１ｂは、複数の細長い部材の組合せである。固定部３０１ｂの形状は、固定部３０１ａの形状と異なる。固定部３０１ｂは、３か所で支持部３００ｂと接続されている。固定部３０１ｂと面３０００ｂとの間に画像表示装置１０が配置される。固定部３０１ｂと面３０００ｂとが画像表示装置１０と密着することにより、画像表示装置１０が固定される。
【００３３】
図６は、固定部材３０の第３の例である固定部材３０ｃの外観を示している。図６に示すように、固定部材３０ｃは、支持部３００ｃと、固定部３０１ｃと、複数の接続部３０２ｃとを有する。支持部３００ｃと固定部３０１ｃとは、環状の部材である。支持部３００ｃは、撮像装置２０の側面と密着することにより撮像装置２０を支持する。接続部３０２ｃは、細長い部材である。支持部３００ｃと固定部３０１ｃとは、３つの接続部３０２ｃにより接続されている。支持部３００ｃと固定部３０１ｃとの間に画像表示装置１０が配置される。支持部３００ｃと固定部３０１ｃと接続部３０２ｃとが画像表示装置１０と密着することにより、画像表示装置１０が固定される。
【００３４】
図７と図８とは、タッチパネル１０１の表面１０１Ａに設定される有効領域と無効領域との例を示している。図７と図８とにおいて、撮像装置２０はタッチパネル１０１の表面１０１Ａに配置されている。つまり、撮像装置２０と固定部材３０とがタッチパネル１０１の表面１０１Ａの一部を覆う。
【００３５】
図７は、有効領域と無効領域との第１の例を示している。タッチパネル１０１の表面１０１Ａは、矩形状である。タッチパネル１０１の表面１０１Ａは、有効領域１０１２と、無効領域１０１３とを含む。有効領域１０１２と無効領域１０１３とは、矩形状である。
【００３６】
有効領域１０１２は、撮像装置２０が配置されない領域に設定される。有効領域１０１２は、撮像装置２０と固定部材３０とによって覆われていない。有効領域１０１２は、撮像装置２０によって生成された第１の画像データに基づく画像が表示され、かつ入力操作が受け付けられる領域である。有効領域１０１２は、画像領域１０１２Ａと、操作領域１０１２Ｂとを有する。画像領域１０１２Ａと操作領域１０１２Ｂとは、矩形状である。
【００３７】
画像領域１０１２Ａは、第１の画像データに基づく画像を含み、かつ入力操作が受け付けられる領域である。画像の拡大率に応じて画像領域１０１２Ａの大きさが変更されてもよい。タッチパネル１０１の表面１０１Ａに対する撮像素子２００の撮像面の短辺と長辺との向きに応じて画像領域１０１２Ａの縦方向と横方向との長さが変更されてもよい。画像領域１０１２Ａにおいて入力操作が受け付けられる。例えば、ユーザが画像領域１０１２Ａをタップすることにより撮影コマンドの入力操作が受け付けられる。操作領域１０１２Ｂは、第１の画像データに基づく画像を含まず入力操作が受け付けられる領域である。操作領域１０１２Ｂにおいて操作インタフェースが表示され、かつ操作インタフェース上でユーザによる入力操作が行われてもよい。例えば、操作インタフェースは、シャッターボタン、撮像パラメータ設定のためのボタン、および撮影アプリケーションの設定のためのボタンである。
【００３８】
無効領域１０１３は、撮像装置２０が配置される領域に設定される。無効領域１０１３の少なくとも一部は、撮像装置２０および固定部材３０によって覆われている。タッチパネル１０１の表面１０１Ａにおいて、無効領域１０１３は、撮像装置２０および固定部材３０と重なる領域を含む。タッチパネル１０１の表面１０１Ａにおいて、無効領域１０１３はさらに、撮像装置２０および固定部材３０と重なる領域の周辺の４つの領域を含む。無効領域１０１３において第１の画像データに基づく画像は表示されない。無効領域１０１３において入力操作は受け付けられない。つまり、無効領域１０１３において入力操作は無効である。
【００３９】
有効領域１０１２と無効領域１０１３とがタッチパネル１０１の表面１０１Ａに設定されたとき、タッチパネル１０１の表面１０１Ａは、有効領域１０１２と無効領域１０１３とのみを含む。タッチパネル１０１の表面１０１Ａ上の位置は、有効領域１０１２と無効領域１０１３との１つのみに含まれる。
【００４０】
図８は、有効領域と無効領域との第２の例を示している。タッチパネル１０１の表面１０１Ａは、有効領域１０１２と、無効領域１０１３と、操作領域１０１４とを含む。
【００４１】
図８における有効領域１０１２は、図７における有効領域１０１２と同一である。無効領域１０１３は、撮像装置２０および固定部材３０によって覆われている領域のみを含む。４つの操作領域１０１４が無効領域１０１３の周囲に設定されている。操作領域１０１４は、第１の画像データに基づく画像が表示されず、かつ入力操作が受け付けられる領域である。操作領域１０１４において操作インタフェースが表示され、かつ操作インタフェース上でユーザによる入力操作が行われてもよい。操作領域１０１４は、有効領域１０１２に含まれてもよい。
【００４２】
有効領域１０１２は、画像領域１０１２Ａのみを含んでもよい。つまり、有効領域１０１２は、操作領域１０１２Ｂを含まなくてもよい。
【００４３】
画像表示装置１０に対して撮像装置２０が配置される位置は既知である。例えば、固定部材３０の構造により、撮像装置２０が配置される位置が制限される。このため、有効領域１０１２と無効領域１０１３との位置は既知である。固定部材３０の種類に応じて撮像装置２０が配置される位置が異なってもよい。したがって、固定部材３０の種類に応じて有効領域１０１２と無効領域１０１３とが設定されてもよい。
【００４４】
上記のように、撮像装置２０が配置される無効領域１０１３における画像の表示と入力操作の受け付けとは禁止される。このため、無効領域１０１３における入力操作の誤検出を低減することができる。例えば、固定部材３０または撮像装置２０とタッチパネル１０１との接触による入力操作の誤検出が低減される。
【００４５】
図９は、画像表示装置１０の動作手順を示している。図９を参照し、画像表示装置１０の動作を説明する。
【００４６】
撮像に関する画像表示装置１０の動作が開始された後、コントローラ１０３は、通信機１００によって撮像装置２０と無線により接続する制御を行う。これによって、通信機１００は、撮像装置２０と無線により接続する（ステップＳ１００）。
【００４７】
ステップＳ１００における処理が行われた後、コントローラ１０３は、メモリ１０２から領域情報１０２０を読み込み、かつ領域情報１０２０に基づいて有効領域と無効領域とをタッチパネル１０１の表面１０１Ａに設定する（ステップＳ１０５）。ステップＳ１０５において、コントローラ１０３は、有効領域情報１０２０Ａに基づいて有効領域をタッチパネル１０１の表面１０１Ａに設定し、かつ無効領域情報１０２０Ｂに基づいて無効領域をタッチパネル１０１の表面１０１Ａに設定する。
【００４８】
ステップＳ１０５における処理が行われた後、コントローラ１０３は、ライブ画像データを通信機１００によって撮像装置２０から受信する制御を行う。これによって、通信機１００は、ライブ画像データを撮像装置２０から受信する（ステップＳ１１０）。例えば、ステップＳ１１０において、通信機１００は、１フレームのライブ画像データを受信する。
【００４９】
ステップＳ１１０における処理が行われた後、コントローラ１０３は、ステップＳ１１０において受信されたライブ画像データに基づくライブ画像を有効領域に表示する制御を行う。これによって、タッチパネル１０１は、ライブ画像を有効領域に表示する（ステップＳ１１５）。ユーザは、撮影の前にライブ画像を確認することにより、構図、フォーカス状態、および明るさ等を確認することができる。
【００５０】
ステップＳ１１５における処理が行われた後、コントローラ１０３は、制御コマンドの操作入力が行われたか否かを判断する（ステップＳ１２０）。ステップＳ１２０において、コントローラ１０３は、有効領域におけるセンサ１０１１の状態に基づいて判断を行う。
【００５１】
ステップＳ１２０において、制御コマンドの操作入力が行われていないと判断された場合、ステップＳ１１０における処理が行われる。ステップＳ１２０において、制御コマンドの操作入力が行われたと判断された場合、コントローラ１０３は、操作入力が行われた制御コマンドが撮影コマンドであるか否かを判断する（ステップＳ１２５）。
【００５２】
ステップＳ１２５において、制御コマンドが撮影コマンドでないと判断された場合、ステップＳ１４５における処理が行われる。ステップＳ１２５において、制御コマンドが撮影コマンドであると判断された場合、コントローラ１０３は、撮影コマンドを生成し、かつ撮影コマンドを通信機１００によって撮像装置２０に送信する制御を行う。これによって、通信機１００は、撮影コマンドを撮像装置２０に送信する（ステップＳ１３０）。
【００５３】
ステップＳ１３０における処理が行われた後、コントローラ１０３は、静止画データを通信機１００によって撮像装置２０から受信する制御を行う。これによって、通信機１００は、静止画データを撮像装置２０から受信する（ステップＳ１３５）。
【００５４】
ステップＳ１３５における処理が行われた後、コントローラ１０３は、ステップＳ１３５において受信された静止画データに基づく静止画像を有効領域に表示する制御を行う。これによって、タッチパネル１０１は、静止画像を有効領域に表示する（ステップＳ１４０）。ユーザは、静止画像を確認することにより、撮影された画像における構図、フォーカス状態、および明るさ等を確認することができる。
【００５５】
ステップＳ１４０における処理が行われた後、コントローラ１０３は、操作入力が行われた制御コマンドが終了コマンドであるか否かを判断する（ステップＳ１４５）。
【００５６】
ステップＳ１４５において、制御コマンドが終了コマンドでないと判断された場合、ステップＳ１１０における処理が行われる。ステップＳ１４５において、制御コマンドが終了コマンドであると判断された場合、コントローラ１０３は、終了コマンドを生成し、かつ終了コマンドを通信機１００によって撮像装置２０に送信する制御を行う。これによって、通信機１００は、終了コマンドを撮像装置２０に送信する（ステップＳ１５０）。ステップＳ１５０における処理が行われることにより、撮像に関する画像表示装置１０の動作が終了する。
【００５７】
ステップＳ１０５における処理は、ステップＳ１１５における処理が行われる前に行われればよい。ステップＳ１０５における処理は、ステップＳ１００における処理が行われる前に行われてもよい。ステップＳ１０５における処理は、ステップＳ１１０における処理が行われた後に行われてもよい。ステップＳ１４０における処理は省略されてもよい。ステップＳ１４０とステップＳ１５０とにおける処理は省略されてもよい。
【００５８】
図１０は、撮像装置２０の動作手順を示している。図１０を参照し、撮像装置２０の動作を説明する。
【００５９】
撮像装置２０の電源がオンになったとき、撮像装置２０は、図１０に示す動作を行う。コントローラ２０２は、通信機２０１によって画像表示装置１０と無線により接続する制御を行う。これによって、通信機２０１は、画像表示装置１０と無線により接続する（ステップＳ２００）。
【００６０】
ステップＳ２００における処理が行われた後、コントローラ２０２は、撮像素子２００によって撮像を行う制御を行う。これによって、撮像素子２００は、撮像を行い、かつライブ画像データを生成する（ステップＳ２０５）。例えば、ステップＳ２０５において、撮像素子２００は、１フレームのライブ画像データを生成する。ステップＳ２０５において、コントローラ２０２は、撮像素子２００に撮像パラメータを設定するか、または撮像素子２００に設定されている撮像パラメータを変更してもよい。
【００６１】
ステップＳ２０５における処理が行われた後、コントローラ２０２は、ステップＳ２０５において生成されたライブ画像データを通信機２０１によって画像表示装置１０に送信する制御を行う。これによって、通信機２０１は、ライブ画像データを画像表示装置１０に送信する（ステップＳ２１０）。
【００６２】
ステップＳ２１０における処理が行われた後、コントローラ２０２は、制御コマンドを通信機２０１によって画像表示装置１０から受信する制御を行う。これによって、通信機２０１は、制御コマンドを画像表示装置１０から受信する（ステップＳ２１５）。ステップＳ２１５において通信機２０１は、制御コマンドの受信を待機する。所定の待機時間内に制御コマンドが受信された場合、または制御コマンドが受信されることなく所定の待機時間が経過した場合、ステップＳ２１５における処理が終了する。
【００６３】
ステップＳ２１５における処理が行われた後、コントローラ２０２は、ステップＳ２１５において受信された制御コマンドが撮影コマンドであるか否かを判断する（ステップＳ２２０）。
【００６４】
ステップＳ２２０において、制御コマンドが撮影コマンドでないと判断された場合、ステップＳ２３５における処理が行われる。ステップＳ２２０において、制御コマンドが撮影コマンドであると判断された場合、コントローラ２０２は、撮像素子２００によって撮像を行う制御を行う。これによって、撮像素子２００は、撮像を行い、かつ静止画データを生成する（ステップＳ２２５）。
【００６５】
ステップＳ２２５における処理が行われた後、コントローラ２０２は、ステップＳ２２５において生成された静止画データを通信機２０１によって画像表示装置１０に送信する制御を行う。これによって、通信機２０１は、静止画データを画像表示装置１０に送信する（ステップＳ２３０）。
【００６６】
ステップＳ２３０における処理が行われた後、コントローラ２０２は、ステップＳ２１５において受信された制御コマンドが終了コマンドであるか否かを判断する（ステップＳ２３５）。
【００６７】
ステップＳ２３５において、制御コマンドが終了コマンドでないと判断された場合、ステップＳ２０５における処理が行われる。ステップＳ２３５において、制御コマンドが終了コマンドであると判断された場合、撮像装置２０の動作が終了する。このとき、撮像装置２０の電源がオフになってもよい。
【００６８】
本発明の各態様の画像表示システムは、固定部材３０とレンズ４０との少なくとも１つを有していなくてもよい。
【００６９】
第１の実施形態の画像表示方法は、第１のステップ（ステップＳ１１０）と、第２のステップ（ステップＳ１０５）と、第３のステップ（ステップＳ１１５）と、第４のステップ（ステップＳ１３０）とを有する。第１のステップにおいて、通信機１００は、第１の画像データを撮像装置２０から受信する。第２のステップにおいて、コントローラ１０３は、メモリ１０２に記憶された領域情報１０２０に基づいて有効領域と無効領域とをタッチパネル１０１の表面１０１Ａに設定する。第３のステップにおいて、タッチパネル１０１は、第１の画像データに基づく画像を有効領域に表示する。第４のステップにおいて、通信機１００は、有効領域で受け付けられた入力操作に対応する制御コマンドを撮像装置２０に送信する。
【００７０】
本発明の各態様の画像表示方法は、上記の第１から第４のステップ以外のステップを有していなくてもよい。
【００７１】
第１の実施形態では、有効領域と無効領域とがタッチパネル１０１の表面１０１Ａに設定され、かつ無効領域における画像の表示と入力操作の受け付けとは禁止される。このため、入力操作の誤検出を低減することができる。
【００７２】
（第２の実施形態）
図１１は、本発明の第２の実施形態の画像表示システム１ａの構成を示している。図１１に示す構成について、図１に示す構成と異なる点を説明する。
【００７３】
第２の実施形態の画像表示システム１ａにおいて、第１の実施形態の画像表示システム１における画像表示装置１０が画像表示装置１０ａに変更される。画像表示装置１０ａは、タッチパネル１０１の表面１０１Ａの裏側に配置された背面１０５を有する。画像表示装置１０ａは、表面１０４と、背面１０５とを有する。図１１において、表面１０４は示されていない。画像表示装置１０ａは、図１に示す表面１０４を有する。表面１０４と背面１０５とは、反対方向を向いている。表面１０４と背面１０５とは、画像表示装置１０ａの側面よりも面積が大きい面である。図１１において固定部材３０は、画像表示装置１０ａの背面１０５と接触する。
【００７４】
図１１に示すように撮像装置２０が画像表示装置１０ａの背面１０５に配置された場合、ユーザは、撮像方向をユーザ自身の方向と反対の方向に向けることにより、風景のような被写体を撮影することができる。ユーザは、タッチパネル１０１に表示される画像を確認することにより、構図、フォーカス状態、および明るさ等を確認することができる。第１の実施形態と同様に、ユーザは、撮像装置２０がタッチパネル１０１の表面１０１Ａに配置された状態でユーザ自身を撮影することもできる。
【００７５】
上記以外の点については、図１１に示す構成は、図１に示す構成と同様である。
【００７６】
図１２は、画像表示装置１０ａの構成を示している。図１２に示す構成について、図２に示す構成と異なる点を説明する。
【００７７】
図１２に示すように、画像表示装置１０ａは、通信機１００（第１の通信機）と、タッチパネル１０１と、メモリ１０２と、コントローラ１０３（第１のコントローラ）と、撮像素子１０６とを有する。図１２に示す各構成は、ハードウェアである。
【００７８】
撮像素子１０６は、第２の画像データを生成する。メモリ１０２が記憶する領域情報は、第１の領域情報１０２１と第２の領域情報１０２２とを含む。第１の領域情報１０２１は、タッチパネル１０１の表面１０１Ａに撮像装置２０が配置された状態に対応する有効領域と無効領域との少なくとも１つの位置を示す。第２の領域情報１０２２は、画像表示装置１０ａの背面１０５に撮像装置２０が配置された状態に対応する有効領域と無効領域との少なくとも１つの位置を示す。コントローラ１０３は、第２の画像データに基づいて、第１の状態と第２の状態と第３の状態との１つを検出する。第１の状態は、撮像装置２０がタッチパネル１０１の表面１０１Ａに配置された状態である。第２の状態は、撮像装置２０が画像表示装置１０ａの背面１０５に配置された状態である。第３の状態は、撮像装置２０がタッチパネル１０１の表面１０１Ａと画像表示装置１０ａの背面１０５とのどちらにも配置されていない状態である。第１の状態が検出された場合、コントローラ１０３は、第１の領域情報１０２１に基づいて有効領域と無効領域とをタッチパネル１０１の表面１０１Ａに設定する。第２の状態が検出された場合、コントローラ１０３は、第２の領域情報１０２２に基づいて有効領域と無効領域とをタッチパネル１０１の表面１０１Ａに設定する。第３の状態が検出された場合、コントローラ１０３は、第１の領域情報１０２１に基づく有効領域と無効領域との設定を禁止し、かつ第２の領域情報１０２２に基づく有効領域と無効領域との設定を禁止する。
【００７９】
図１２に示す構成の詳細を説明する。撮像素子１０６は、撮像を行うことにより第２の画像データを生成する。撮像素子１０６は、コントローラ１０３による制御に従って撮像を行う。
【００８０】
メモリ１０２に記憶される第１の領域情報１０２１と第２の領域情報１０２２とは、第１の実施形態における領域情報１０２０と同様に有効領域情報と無効領域情報とを含む。第１の領域情報１０２１と第２の領域情報１０２２とは、有効領域情報と全体領域情報とを含んでもよい。コントローラ１０３は、有効領域情報と全体領域情報とに基づいて無効領域情報を生成してもよい。第１の領域情報１０２１と第２の領域情報１０２２とは、無効領域情報と全体領域情報とを含んでもよい。コントローラ１０３は、無効領域情報と全体領域情報とに基づいて有効領域情報を生成してもよい。コントローラ１０３の動作を規定するプログラムがメモリ１０２に記憶され、かつそのプログラムが第１の領域情報１０２１と第２の領域情報１０２２とを含んでもよい。
【００８１】
撮像素子１０６は、１つまたは複数の撮像素子である。例えば、撮像素子１０６が２つの撮像素子を含み、かつ各撮像素子が画像表示装置１０ａの表面１０４と背面１０５とに配置される。撮像素子１０６は、撮像装置２０がタッチパネル１０１の表面１０１Ａまたは画像表示装置１０ａの背面１０５に配置された場合に撮像装置２０が撮像範囲に含まれるように配置されている。
【００８２】
例えば、コントローラ１０３は、撮像素子１０６によって生成された第２の画像データの明るさに基づいて撮像装置２０の配置状態を検出する。コントローラ１０３は、撮像素子１０６によって生成された第２の画像データに基づいて所定の領域から所定の色を検出することにより撮像装置２０の配置状態を検出してもよい。所定の色は、撮像装置２０の筐体の色である。
【００８３】
撮像素子１０６の代わりに、撮像装置２０の接触を検出するセンサが画像表示装置１０ａの表面１０４と背面１０５とに配置されてもよい。コントローラ１０３は、そのセンサの出力信号に基づいて撮像装置２０の配置状態を検出してもよい。近距離無線通信を行う通信機が画像表示装置１０ａと撮像装置２０とに配置されてもよい。コントローラ１０３は、撮像装置２０との近距離無線通信の結果に基づいて撮像装置２０の配置状態を検出してもよい。
【００８４】
上記以外の点については、図１２に示す構成は、図２に示す構成と同様である。
【００８５】
図１３から図１５は、タッチパネル１０１の表面１０１Ａに設定される有効領域と無効領域との例を示している。
【００８６】
図１３は、有効領域と無効領域との第１の例を示している。図１３において、撮像装置２０はタッチパネル１０１の表面１０１Ａに配置されている。つまり、撮像装置２０と固定部材３０とがタッチパネル１０１の表面１０１Ａの一部を覆う。
【００８７】
撮像素子１０６は、撮像素子１０６ａと撮像素子１０６ｂとを含む。撮像素子１０６ａは、画像表示装置１０ａの表面１０４に配置されている。撮像素子１０６ｂは、画像表示装置１０ａの背面１０５に配置されている。撮像装置２０がタッチパネル１０１の表面１０１Ａに配置された場合、撮像素子１０６ａは撮像装置２０によって覆われる。この場合、固定部材３０の一部が画像表示装置１０ａの背面１０５に配置されるが、撮像素子１０６ｂは固定部材３０によって覆われない。
【００８８】
タッチパネル１０１の表面１０１Ａは、矩形状である。タッチパネル１０１の表面１０１Ａは、有効領域１０１２と、無効領域１０１３とを含む。図１３に示す有効領域１０１２は、図７に示す有効領域１０１２と同一である。図１３に示す無効領域１０１３は、図７に示す無効領域１０１３と同一である。このため、図１３に示す有効領域１０１２と無効領域１０１３との説明を省略する。
【００８９】
図１４は、有効領域と無効領域との第２の例を示している。図１４において、撮像装置２０は画像表示装置１０ａの背面１０５に配置されている。つまり、撮像装置２０と固定部材３０とが画像表示装置１０ａの背面１０５の一部を覆う。
【００９０】
撮像装置２０が画像表示装置１０ａの背面１０５に配置された場合、撮像素子１０６ａは固定部材３０によって覆われ、かつ撮像素子１０６ｂは撮像装置２０によって覆われる。例えば、図１４に示す固定部材３０は、図５に示す固定部材３０ｂである。撮像装置２０が固定部材３０に装着され、かつ固定部材３０を構成する２つの部材すなわち支持部３００ｂおよび固定部３０１ｂが画像表示装置１０ａと密着することによって、画像表示装置１０ａに対して撮像装置２０が固定される。
【００９１】
タッチパネル１０１の表面１０１Ａは、有効領域１０１２と、無効領域１０１３とを含む。有効領域１０１２は、固定部材３０が配置されない領域に設定される。有効領域１０１２は、固定部材３０によって覆われていない。有効領域１０１２は、撮像装置２０によって生成された第１の画像データに基づく画像が表示され、かつ入力操作が受け付けられる領域である。図１４における有効領域１０１２は、図１３における有効領域１０１２よりも広い。有効領域１０１２は、画像領域１０１２Ａと、操作領域１０１２Ｂとを有する。画像領域１０１２Ａと操作領域１０１２Ｂとについては、図７を参照して既に説明したので、説明を省略する。
【００９２】
無効領域１０１３は、固定部材３０が配置される領域に設定される。無効領域１０１３の少なくとも一部は、固定部材３０によって覆われている。タッチパネル１０１の表面１０１Ａにおいて、無効領域１０１３は、固定部材３０と重なる領域を含む。タッチパネル１０１の表面１０１Ａにおいて、無効領域１０１３はさらに、固定部材３０と重なる領域の周辺の２つの領域を含む。
【００９３】
有効領域１０１２と無効領域１０１３とがタッチパネル１０１の表面１０１Ａに設定されたとき、タッチパネル１０１の表面１０１Ａは、有効領域１０１２と無効領域１０１３とのみを含む。タッチパネル１０１の表面１０１Ａ上の位置は、有効領域１０１２と無効領域１０１３との１つのみに含まれる。
【００９４】
無効領域１０１３は、撮像装置２０と固定部材３０との少なくとも１つによって覆われている領域のみを含んでもよい。図８に示す操作領域１０１４と同様の操作領域が無効領域１０１３の周囲に設定されてもよい。
【００９５】
図１５は、有効領域の第３の例を示している。図１５において、撮像装置２０は、タッチパネル１０１の表面１０１Ａと画像表示装置１０ａの背面１０５とのどちらにも配置されていない。例えば、画像表示装置１０ａと撮像装置２０とは、互いに離れた位置に配置されている。
【００９６】
タッチパネル１０１の表面１０１Ａは、有効領域１０１２のみを含む。つまり、タッチパネル１０１の表面１０１Ａの全体が有効領域１０１２である。有効領域１０１２は、画像領域１０１２Ａと、操作領域１０１２Ｂとを有する。画像領域１０１２Ａと操作領域１０１２Ｂとについては、図７を参照して既に説明したので、説明を省略する。撮像装置２０がタッチパネル１０１の表面１０１Ａと画像表示装置１０ａの背面１０５とのどちらにも配置されていない場合、有効領域１０１２はタッチパネル１０１の表面１０１Ａの任意の領域に設定されてもよい。
【００９７】
画像表示装置１０ａの動作手順は、図９に示す手順と同様である。図１６は、ステップＳ１０５における処理の詳細を示している。ステップＳ１０５においてコントローラ１０３は、第１の領域情報１０２１と第２の領域情報１０２２とに基づいて有効領域と無効領域とをタッチパネル１０１の表面１０１Ａに設定する。図１６を参照し、ステップＳ１０５における画像表示装置１０ａの動作を説明する。
【００９８】
コントローラ１０３は、撮像素子１０６によって生成された第２の画像データに基づいて撮像装置２０の位置を検出する（ステップＳ１０５０）。例えば、ステップＳ１０５０において、コントローラ１０３は、撮像素子１０６ａによって生成された第２の画像データの明るさと、撮像素子１０６ｂによって生成された第２の画像データの明るさとを検出する。これによって、コントローラ１０３は、撮像装置２０の配置状態を検出する。図１３に示すように撮像装置２０がタッチパネル１０１の表面１０１Ａに配置された場合、撮像素子１０６ａは撮像装置２０によって覆われ、かつ撮像素子１０６ｂは固定部材３０によって覆われない。このため、撮像素子１０６ａによって生成された第２の画像データのみが暗い。図１４に示すように撮像装置２０が画像表示装置１０ａの背面１０５に配置された場合、撮像素子１０６ａは固定部材３０の一部によって覆われ、かつ撮像素子１０６ｂは撮像装置２０によって覆われる。このため、撮像素子１０６ａによって生成された第２の画像データと、撮像素子１０６ｂによって生成された第２の画像データとの両方が暗い。
【００９９】
ステップＳ１０５０における処理が行われた後、コントローラ１０３は、撮像装置２０がタッチパネル１０１の表面１０１Ａに配置されたか否かを判断する（ステップＳ１０５１）。例えば、ステップＳ１０５１において、撮像素子１０６ａによって生成された第２の画像データのみが暗い場合、コントローラ１０３は、撮像装置２０がタッチパネル１０１の表面１０１Ａに配置されたと判断する（第１の状態）。それ以外の場合、コントローラ１０３は、撮像装置２０がタッチパネル１０１の表面１０１Ａに配置されていないと判断する。
【０１００】
ステップＳ１０５１において、撮像装置２０がタッチパネル１０１の表面１０１Ａに配置されたと判断された場合、コントローラ１０３は、メモリ１０２から第１の領域情報１０２１を読み込み、かつ第１の領域情報１０２１に基づいて有効領域と無効領域とをタッチパネル１０１の表面１０１Ａに設定する（ステップＳ１０５２）。ステップＳ１０５２における処理が行われることにより、ステップＳ１０５における処理が終了する。
【０１０１】
ステップＳ１０５１において、撮像装置２０がタッチパネル１０１の表面１０１Ａに配置されていないと判断された場合、コントローラ１０３は、撮像装置２０が画像表示装置１０ａの背面１０５に配置されたか否かを判断する（ステップＳ１０５３）。例えば、ステップＳ１０５３において、撮像素子１０６ａによって生成された第２の画像データと、撮像素子１０６ｂによって生成された第２の画像データとの両方が暗い場合、コントローラ１０３は、撮像装置２０が画像表示装置１０ａの背面１０５に配置されたと判断する（第２の状態）。それ以外の場合、コントローラ１０３は、撮像装置２０が画像表示装置１０ａの背面１０５に配置されていないと判断する。
【０１０２】
ステップＳ１０５３において、撮像装置２０が画像表示装置１０ａの背面１０５に配置されたと判断された場合、コントローラ１０３は、メモリ１０２から第２の領域情報１０２２を読み込み、かつ第２の領域情報１０２２に基づいて有効領域と無効領域とをタッチパネル１０１の表面１０１Ａに設定する（ステップＳ１０５４）。ステップＳ１０５４における処理が行われることにより、ステップＳ１０５における処理が終了する。
【０１０３】
ステップＳ１０５３において、撮像装置２０が画像表示装置１０ａの背面１０５に配置されていないと判断された場合、撮像装置２０は、タッチパネル１０１の表面１０１Ａと画像表示装置１０ａの背面１０５とのどちらにも配置されていない（第３の状態）。例えば、撮像素子１０６ａによって生成された第２の画像データと、撮像素子１０６ｂによって生成された第２の画像データとの両方が明るい。この場合、コントローラ１０３は、タッチパネル１０１の表面１０１Ａの全体を有効領域に設定する（ステップＳ１０５５）。ステップＳ１０５５において、第１の領域情報１０２１と第２の領域情報１０２２とに基づく有効領域と無効領域との設定は禁止される。このため、第１の領域情報１０２１に基づく有効領域と異なり、かつ第２の領域情報１０２２に基づく有効領域と異なる有効領域が設定される。ステップＳ１０５５における処理が行われることにより、ステップＳ１０５における処理が終了する。
【０１０４】
第２の実施形態の画像表示方法は、第１のステップ（ステップＳ１１０）と、第２のステップ（ステップＳ１０５）と、第３のステップ（ステップＳ１１５）と、第４のステップ（ステップＳ１３０）とを有する。第２のステップは、第５のステップ（ステップＳ１０５０）と、第６のステップ（ステップＳ１０５２、ステップＳ１０５４、およびステップＳ１０５５）とを有する。第５のステップにおいて、コントローラ１０３は、第２の画像データに基づいて、第１の状態と第２の状態と第３の状態との１つを検出する。第１の状態が検出された場合、コントローラ１０３は、第６のステップ（ステップＳ１０５２）において、第１の領域情報１０２１に基づいて有効領域と無効領域とをタッチパネル１０１の表面１０１Ａに設定する。第２の状態が検出された場合、コントローラ１０３は、第６のステップ（ステップＳ１０５４）において、第２の領域情報１０２２に基づいて有効領域と無効領域とをタッチパネル１０１の表面１０１Ａに設定する。第３の状態が検出された場合、コントローラ１０３は、第６のステップ（ステップＳ１０５５）において、第１の領域情報１０２１に基づく有効領域と無効領域との設定を禁止し、かつ第２の領域情報１０２２に基づく有効領域と無効領域との設定を禁止する。
【０１０５】
第２の実施形態では、第１の実施形態と同様に、入力操作の誤検出を低減することができる。第２の実施形態ではさらに、第１の状態と第２の状態とに応じた有効領域と無効領域とが設定され、かつ第３の状態において有効領域のみが設定される。このため、撮像装置２０の配置状態に応じて、入力操作の誤検出を低減することができる。
【０１０６】
（第３の実施形態）
本発明の第３の実施形態において、第２の実施形態における画像表示装置１０ａが図１７に示す画像表示装置１０ｂに変更される。図１７は、画像表示装置１０ｂの構成を示している。図１７に示す構成について、図１２に示す構成と異なる点を説明する。
【０１０７】
メモリ１０２は、第２の実施形態と同様に第１の領域情報１０２１と第２の領域情報１０２２とを記憶する。メモリ１０２はさらに、撮像装置２０の第１の撮像パラメータ１０２３と第２の撮像パラメータ１０２４とを記憶する。第１の撮像パラメータ１０２３は第１の状態に対応する。第２の撮像パラメータ１０２４は第２の状態に対応する。第１の状態が検出された場合、コントローラ１０３は、第１の撮像パラメータ１０２３を撮像装置２０に設定する制御コマンドを通信機１００によって撮像装置２０に送信する送信制御を行う。第２の状態が検出された場合、コントローラ１０３は、第２の撮像パラメータ１０２４を撮像装置２０に設定する制御コマンドを通信機１００によって撮像装置２０に送信する送信制御を行う。
【０１０８】
コントローラ１０３の動作を規定するプログラムがメモリ１０２に記憶され、かつそのプログラムが第１の撮像パラメータ１０２３と第２の撮像パラメータ１０２４とを含んでもよい。
【０１０９】
上記以外の点については、図１７に示す構成は、図１２に示す構成と同様である。
【０１１０】
撮像装置２０の構成は、図３に示す構成と同様である。通信機２０１は、第１の画像データを画像表示装置１０ｂに送信し、かつ撮像パラメータに関する制御コマンドを画像表示装置１０ｂから受信する。撮像パラメータに関する制御コマンドが受信された場合、コントローラ２０２は、制御コマンドに基づいて撮像素子２００に撮像パラメータを設定する。
【０１１１】
図１８は、第１の撮像パラメータ１０２３と第２の撮像パラメータ１０２４との例を示している。メモリ１０２は、第１の撮像パラメータ１０２３および第２の撮像パラメータ１０２４以外のデフォルトパラメータを記憶してもよい。デフォルトパラメータは第３の状態に対応する。図１８は、デフォルトパラメータの例も示している。
【０１１２】
第１の撮像パラメータ１０２３と第２の撮像パラメータ１０２４とデフォルトパラメータとは、撮影モードとオートフォーカスアルゴリズムと露出補正アルゴリズムと画像アスペクトと画像解像度との各パラメータを含む。撮影モードのパラメータは、撮像装置２０の撮影モードを示す。オートフォーカスアルゴリズムのパラメータは、撮像装置２０におけるオートフォーカス動作のアルゴリズムを示す。露出補正アルゴリズムのパラメータは、撮像装置２０における露出補正動作のアルゴリズムを示す。画像アスペクトのパラメータは、画像が表示されるときの画像の横と縦との大きさの比を示す。画像解像度のパラメータは、画像の横と縦との画素数を示す。
【０１１３】
第１の撮像パラメータ１０２３における各パラメータを説明する。例えば、第１の撮像パラメータ１０２３は、ユーザ自身の撮影に適している。撮影モードのパラメータは、フィルター撮影モードを示し、かつポートレートに対応するパラメータを示す。オートフォーカスアルゴリズムのパラメータは、画像において人物の顔が認識された領域に優先的にフォーカスを合わせるアルゴリズムを示す。露出補正アルゴリズムのパラメータは、画像において人物の顔が認識された領域を優先して露出を補正するアルゴリズムを示す。画像アスペクトのパラメータは、画像の横と縦との大きさの比が１：１であることを示す。画像解像度のパラメータは、画像の横の画素数が１２８０であり、かつ画像の横の画素数が９６０であることを示す。
【０１１４】
第２の撮像パラメータ１０２４における各パラメータを説明する。例えば、第２の撮像パラメータ１０２４は、風景の撮影に適している。撮影モードのパラメータは、オート撮影モードを示す。オートフォーカスアルゴリズムのパラメータは、Ｓｉｎｇｌｅ  ＡＦを示す。Ｓｉｎｇｌｅ  ＡＦでは、シャッターボタンの半押し操作に対応する入力操作が受け付けられた場合にフォーカスが調整される。露出補正アルゴリズムのパラメータは、画像において中央領域を優先して露出を補正するアルゴリズムを示す。画像アスペクトのパラメータは、画像の横と縦との大きさの比が４：３であることを示す。画像解像度のパラメータは、画像の横の画素数が４６０８であり、かつ画像の横の画素数が３４５６であることを示す。
【０１１５】
デフォルトパラメータにおける各パラメータを説明する。デフォルトパラメータは、任意の撮影シーンに対応できる。撮影モードのパラメータは、オート撮影モードを示す。オートフォーカスアルゴリズムのパラメータは、Ｓｉｎｇｌｅ  ＡＦを示す。露出補正アルゴリズムのパラメータは、ＥＳＰ（Ｅｘｐｏｓｕｒｅ  Ｓｍａｒｔ  Ｐｒｏｔｅｃｔｏｒ）を示す。ＥＳＰでは、画像が複数の領域に分割され、各領域の明るさに応じて露出が補正される。画像アスペクトのパラメータは、画像の横と縦との大きさの比が３：２であることを示す。画像解像度のパラメータは、画像の横の画素数が２５６０であり、かつ画像の横の画素数が１９２０であることを示す。
【０１１６】
撮像パラメータは、図１８に示すパラメータに限らない。デフォルトパラメータは、任意のパラメータであってもよい。
【０１１７】
画像表示装置１０ｂの動作手順は、図９に示す手順と同様である。図１９は、ステップＳ１０５における処理の詳細を示している。ステップＳ１０５においてコントローラ１０３は、第１の領域情報１０２１と第２の領域情報１０２２とに基づいて有効領域と無効領域とをタッチパネル１０１の表面１０１Ａに設定する。ステップＳ１０５においてコントローラ１０３はさらに、撮像パラメータを撮像装置２０に設定する制御コマンドを通信機１００によって撮像装置２０に送信する。図１９を参照し、ステップＳ１０５における画像表示装置１０ｂの動作を説明する。図１９に示す動作において、図１６に示す動作と異なる点を説明する。
【０１１８】
ステップＳ１０５２における処理が行われた後、コントローラ１０３は、メモリ１０２から第１の撮像パラメータ１０２３を読み込み、かつ第１の撮像パラメータ１０２３に基づく制御コマンドを生成する。例えば、この制御コマンドは、第１の撮像パラメータ１０２３に含まれる各パラメータの情報を含む。コントローラ１０３は、制御コマンドを通信機１００によって撮像装置２０に送信する（ステップＳ１０５６）。ステップＳ１０５６における処理が行われることにより、ステップＳ１０５における処理が終了する。
【０１１９】
ステップＳ１０５４における処理が行われた後、コントローラ１０３は、メモリ１０２から第２の撮像パラメータ１０２４を読み込み、かつ第２の撮像パラメータ１０２４に基づく制御コマンドを生成する。例えば、この制御コマンドは、第２の撮像パラメータ１０２４に含まれる各パラメータの情報を含む。コントローラ１０３は、制御コマンドを通信機１００によって撮像装置２０に送信する（ステップＳ１０５７）。ステップＳ１０５７における処理が行われることにより、ステップＳ１０５における処理が終了する。
【０１２０】
ステップＳ１０５５における処理が行われた後、コントローラ１０３は、メモリ１０２からデフォルトパラメータを読み込み、かつデフォルトパラメータに基づく制御コマンドを生成する。例えば、この制御コマンドは、デフォルトパラメータに含まれる各パラメータの情報を含む。コントローラ１０３は、制御コマンドを通信機１００によって撮像装置２０に送信する（ステップＳ１０５８）。ステップＳ１０５８における処理が行われることにより、ステップＳ１０５における処理が終了する。
【０１２１】
ステップＳ１０５２とステップＳ１０５６との順番は逆であってもよい。つまり、ステップＳ１０５６における処理が行われた後、ステップＳ１０５２における処理が行われてもよい。ステップＳ１０５４とステップＳ１０５７との順番は逆であってもよい。つまり、ステップＳ１０５７における処理が行われた後、ステップＳ１０５４における処理が行われてもよい。ステップＳ１０５５とステップＳ１０５８との順番は逆であってもよい。つまり、ステップＳ１０５８における処理が行われた後、ステップＳ１０５５における処理が行われてもよい。
【０１２２】
上記以外の点については、図１９に示す動作は、図１６に示す動作と同様である。
【０１２３】
撮像装置２０において、ステップＳ１０５６とステップＳ１０５７とステップＳ１０５８とに対応する処理が行われる。コントローラ２０２は、制御コマンドを通信機２０１によって画像表示装置１０ｂから受信する制御を行う。これによって、通信機２０１は、制御コマンドを画像表示装置１０ｂから受信する。コントローラ２０２は、制御コマンドに基づいて撮像素子２００に撮像パラメータを設定する。
【０１２４】
第３の実施形態の画像表示方法は、第１のステップ（ステップＳ１１０）と、第２のステップ（ステップＳ１０５）と、第３のステップ（ステップＳ１１５）と、第４のステップ（ステップＳ１３０）とを有する。第２のステップは、第５のステップ（ステップＳ１０５０）と、第６のステップ（ステップＳ１０５２、ステップＳ１０５４、およびステップＳ１０５５）と、第７のステップ（ステップＳ１０５６およびステップＳ１０５７）とを有する。第１の状態が検出された場合、コントローラ１０３は、第７のステップ（ステップＳ１０５６）において、第１の撮像パラメータを撮像装置２０に設定する制御コマンドを通信機１００によって撮像装置２０に送信する送信制御を行う。第２の状態が検出された場合、コントローラ１０３は、第７のステップ（ステップＳ１０５７）において、第２の撮像パラメータを撮像装置２０に設定する制御コマンドを通信機１００によって撮像装置２０に送信する送信制御を行う。
【０１２５】
第３の実施形態では、第１の実施形態と同様に、入力操作の誤検出を低減することができる。第３の実施形態ではさらに、第１の状態と第２の状態とに応じた撮像パラメータが設定される。このため、撮像装置２０の配置状態に応じて、より適切な撮像パラメータを設定することができる。
【０１２６】
以上、本発明の好ましい実施形態を説明したが、本発明はこれら実施形態およびその変形例に限定されることはない。本発明の趣旨を逸脱しない範囲で、構成の付加、省略、置換、およびその他の変更が可能である。また、本発明は前述した説明によって限定されることはなく、添付のクレームの範囲によってのみ限定される。
【産業上の利用可能性】
【０１２７】
本発明の各実施形態によれば、入力操作の誤検出を低減することができる。
【符号の説明】
【０１２８】
１，１ａ  画像表示システム
１０  画像表示装置
２０  撮像装置
３０，３０ａ，３０ｂ，３０ｃ  固定部材
４０  レンズ
１００，２０１  通信機
１０１  タッチパネル
１０１Ａ，１０４  表面
１０２  メモリ
１０３，２０２  コントローラ
１０５  背面
１０６，１０６ａ，１０６ｂ，２００  撮像素子
１０１０  表示装置
１０１１  センサ
【図１】
2017085787.tif 000003
【図２】
2017085787.tif 000004
【図３】
2017085787.tif 000005
【図４】
2017085787.tif 000006
【図５】
2017085787.tif 000007
【図６】
2017085787.tif 000008
【図７】
2017085787.tif 000009
【図８】
2017085787.tif 000010
【図９】
2017085787.tif 000011
【図１０】
2017085787.tif 000012
【図１１】
2017085787.tif 000013
【図１２】
2017085787.tif 000014
【図１３】
2017085787.tif 000015
【図１４】
2017085787.tif 000016
【図１５】
2017085787.tif 000017
【図１６】
2017085787.tif 000018
【図１７】
2017085787.tif 000019
【図１８】
2017085787.tif 000020
【図１９】
2017085787.tif 000021
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
第１の画像データを撮像装置から受信し、かつ制御コマンドを前記撮像装置に送信する通信機と、
前記第１の画像データに基づいて画像を表示し、かつ前記制御コマンドの入力操作を受け付けるタッチパネルであって、有効領域と無効領域とが前記タッチパネルの表面に設定され、前記画像は前記有効領域に表示され、前記入力操作は前記有効領域で受け付けられ、前記無効領域は前記有効領域と異なり、前記無効領域における前記画像の表示と前記入力操作の受け付けとは禁止される前記タッチパネルと、
前記有効領域と前記無効領域との少なくとも１つの位置を示す領域情報を記憶するメモリと、
表示制御と送信制御とを行い、前記表示制御は、前記メモリに記憶された前記領域情報に基づいて前記有効領域と前記無効領域とを前記タッチパネルの前記表面に設定し、かつ前記第１の画像データに基づく前記画像を前記有効領域に表示する処理であり、前記送信制御は、前記有効領域で受け付けられた前記入力操作に対応する前記制御コマンドを前記通信機によって前記撮像装置に送信する処理であるコントローラと、
を有する画像表示装置。
【請求項２】
第２の画像データを生成する撮像素子と、
前記タッチパネルの前記表面の裏側に配置された背面と、
をさらに有し、
前記領域情報は、第１の領域情報と第２の領域情報とを含み、前記第１の領域情報は、前記タッチパネルの前記表面に前記撮像装置が配置された状態に対応する前記有効領域と前記無効領域との少なくとも１つの位置を示し、前記第２の領域情報は、前記背面に前記撮像装置が配置された状態に対応する前記有効領域と前記無効領域との少なくとも１つの位置を示し、
前記コントローラは、前記第２の画像データに基づいて、第１の状態を検出し、または第２の状態を検出し、前記第１の状態は、前記撮像装置が前記タッチパネルの前記表面に配置された状態であり、前記第２の状態は、前記撮像装置が前記背面に配置された状態であり、
前記第１の状態が検出された場合、または前記第２の状態が検出されなかった場合、前記コントローラは、前記第１の領域情報に基づいて前記有効領域と前記無効領域とを前記タッチパネルの前記表面に設定し、
前記第１の状態が検出されなかった場合、または前記第２の状態が検出された場合、前記コントローラは、前記第２の領域情報に基づいて前記有効領域と前記無効領域とを前記タッチパネルの前記表面に設定する
請求項１に記載の画像表示装置。
【請求項３】
前記メモリはさらに、前記撮像装置の第１の撮像パラメータと第２の撮像パラメータとを記憶し、前記第１の撮像パラメータは前記第１の状態に対応し、前記第２の撮像パラメータは前記第２の状態に対応し、
前記第１の状態が検出された場合、前記コントローラは、前記第１の撮像パラメータを前記撮像装置に設定する前記制御コマンドを前記通信機によって前記撮像装置に送信する前記送信制御を行い、
前記第２の状態が検出された場合、前記コントローラは、前記第２の撮像パラメータを前記撮像装置に設定する前記制御コマンドを前記通信機によって前記撮像装置に送信する前記送信制御を行う
請求項２に記載の画像表示装置。
【請求項４】
前記有効領域は、前記画像を含まず、前記入力操作が受け付けられる操作領域を有し、
前記有効領域と前記無効領域とが前記タッチパネルの前記表面に設定されたとき、前記タッチパネルの前記表面は、前記操作領域を含む
請求項１に記載の画像表示装置。
【請求項５】
画像表示装置と撮像装置とを有し、
前記画像表示装置は、
第１の画像データを撮像装置から受信し、かつ制御コマンドを前記撮像装置に送信する第１の通信機と、
前記第１の画像データに基づいて画像を表示し、かつ前記制御コマンドの入力操作を受け付けるタッチパネルであって、有効領域と無効領域とが前記タッチパネルの表面に設定され、前記画像は前記有効領域に表示され、前記入力操作は前記有効領域で受け付けられ、前記無効領域は前記有効領域と異なり、前記無効領域における前記画像の表示と前記入力操作の受け付けとは禁止される前記タッチパネルと、
前記有効領域と前記無効領域との少なくとも１つの位置を示す領域情報を記憶するメモリと、
表示制御と送信制御とを行い、前記表示制御は、前記メモリに記憶された前記領域情報に基づいて前記有効領域と前記無効領域とを前記タッチパネルの前記表面に設定し、かつ前記第１の画像データに基づく前記画像を前記有効領域に表示する処理であり、前記送信制御は、前記有効領域で受け付けられた前記入力操作に対応する前記制御コマンドを前記第１の通信機によって前記撮像装置に送信する処理である第１のコントローラと、
を有し、
前記撮像装置は、
前記第１の画像データを生成する撮像素子と、
前記第１の画像データを前記画像表示装置に送信し、かつ前記制御コマンドを前記画像表示装置から受信する第２の通信機と、
前記制御コマンドに基づいて前記撮像素子を制御する第２のコントローラと、
を有する
画像表示システム。
【請求項６】
第１の画像データを撮像装置から受信する第１のステップと、
メモリに記憶された領域情報に基づいて有効領域と無効領域とをタッチパネルの表面に設定する第２のステップであって、前記タッチパネルは、前記第１の画像データに基づいて画像を表示し、かつ制御コマンドの入力操作を受け付け、前記領域情報は、前記有効領域と前記無効領域との少なくとも１つの位置を示し、前記画像は前記有効領域に表示され、前記入力操作は前記有効領域で受け付けられ、前記無効領域は前記有効領域と異なり、前記無効領域における前記画像の表示と前記入力操作の受け付けとは禁止される前記第２のステップと、
前記第１の画像データに基づく前記画像を前記有効領域に表示する第３のステップと、
前記有効領域で受け付けられた前記入力操作に対応する前記制御コマンドを前記撮像装置に送信する第４のステップと、
を有する画像表示方法。
【請求項７】
第１の画像データを撮像装置から受信する第１のステップと、
メモリに記憶された領域情報に基づいて有効領域と無効領域とをタッチパネルの表面に設定する第２のステップであって、前記タッチパネルは、前記第１の画像データに基づいて画像を表示し、かつ制御コマンドの入力操作を受け付け、前記領域情報は、前記有効領域と前記無効領域との少なくとも１つの位置を示し、前記画像は前記有効領域に表示され、前記入力操作は前記有効領域で受け付けられ、前記無効領域は前記有効領域と異なり、前記無効領域における前記画像の表示と前記入力操作の受け付けとは禁止される前記第２のステップと、
前記第１の画像データに基づく前記画像を前記有効領域に表示する第３のステップと、
前記有効領域で受け付けられた前記入力操作に対応する前記制御コマンドを前記撮像装置に送信する第４のステップと、
をコンピュータに実行させるためのプログラム。
【請求項８】
前記コントローラは、前記第２の画像データに基づいて、前記第１の状態と前記第２の状態との１つを検出し、
前記第１の状態が検出された場合、前記コントローラは、前記第１の領域情報に基づいて前記有効領域と前記無効領域とを前記タッチパネルの前記表面に設定し、
前記第２の状態が検出された場合、前記コントローラは、前記第２の領域情報に基づいて前記有効領域と前記無効領域とを前記タッチパネルの前記表面に設定する
請求項２に記載の画像表示装置。
【請求項９】
前記コントローラは、前記第２の画像データに基づいて、前記第１の状態と前記第２の状態と第３の状態との１つを検出し、前記第３の状態は、前記撮像装置が前記タッチパネルの前記表面と前記背面とのどちらにも配置されていない状態であり、
前記第３の状態が検出された場合、前記コントローラは、前記第１の領域情報に基づく前記有効領域と前記無効領域との設定を禁止し、かつ前記第２の領域情報に基づく前記有効領域と前記無効領域との設定を禁止する
請求項８に記載の画像表示装置。
【請求項１０】
前記コントローラは、前記第２の画像データに基づいて、前記第１の状態または前記第２の状態と、第３の状態との１つを検出し、前記第３の状態は、前記撮像装置が前記タッチパネルの前記表面と前記背面とのどちらにも配置されていない状態であり、
前記第３の状態が検出された場合、前記コントローラは、前記第１の領域情報に基づく前記有効領域と前記無効領域との設定を禁止し、かつ前記第２の領域情報に基づく前記有効領域と前記無効領域との設定を禁止する
請求項２に記載の画像表示装置。
【国際調査報告】
2017085787.tif 000022
2017085787.tif 000023
2017085787.tif 000024
2017085787.tif 000025